(57)【要約】    【構成】携帯通信端末１０は、ＴＶチューナ３２を有し、電話機能や、ＴＶ視聴機能を実行できる。また、携帯通信端末１０は、ＴＶ視聴機能が実行されている状態であれば、タイムシフト機能を実行することもできる。そのため、プロセッサ２０は、タイムシフト機能が設定されている場合、ＴＶ視聴中の着呼に応じて、ＴＶチューナ３２の出力を一時録画バッファ（２１０）に一時的に記憶させる。また、タイムシフト機能は、使用者によって実行されないように不能化することもできる。そして、プロセッサ２０は、タイムシフト機能が不能化されている場合に、ＴＶ視聴中の着呼に応じて、ＴＶチューナの電源をオフにする。    【効果】タイムシフト機能が利用でき、かつタイムシフト機能が不能化されている携帯通信端末１０では、消費電力が削減される。【選択図】図１
2011091713.tif 000002
【特許請求の範囲】
【請求項１】
ＴＶ放送を受信するＴＶチューナを有する、携帯通信端末であって、
前記ＴＶチューナの出力を着信があったときに記憶部に記憶するタイムシフト機能を設定する設定部、
前記タイムシフト機能が設定されている場合に、着信があったとき、前記ＴＶチューナの出力を前記記憶部に記憶する制御部、
前記タイムシフト機能を不能化する不能化部、および
前記タイムシフト機能が不能化されている場合に、着信があったとき、前記ＴＶチューナの電源をオフにする電源オフ部を備える、携帯通信端末。
【請求項２】
前記ＴＶ放送に対応する番組を出力する出力部、および
前記ＴＶチューナの電源がオフにされた後に、前記出力部による番組の出力が可能になったとき、前記ＴＶチューナの電源をオンにする電源オン部をさらに備える、請求項１記載の携帯通信端末。
【請求項３】
前記タイムシフト機能が不能化されている場合に、着信があったとき、前記ＴＶチューナに設定されるチャンネルを記憶するチャンネル記憶部、および
前記ＴＶチューナの電源がオンにされた後、前記チャンネル記憶部によって記憶されたチャンネルを前記ＴＶチューナに設定するチャンネル設定部をさらに備える、請求項２記載の携帯通信端末。
【請求項４】
前記ＴＶチューナの出力を使用者の操作に基づいて前記記憶部に記憶する録画部を備え、
前記電源オフ部は、着信があったとき、前記録画部による前記ＴＶチューナの出力の記憶がされていないことを条件に、前記ＴＶチューナの電源をオフにする、請求項１記載の携帯通信端末。
【請求項５】
前記タイムシフト機能は、前記記憶部に記憶されたＴＶチューナの出力を、前記着信に基づく通話処理が終了した後に再生する機能を有する、請求項１記載の携帯通信端末。
【請求項６】
前記タイムシフト機能は、前記記憶部に記憶されたＴＶチューナの出力が再生され、当該再生内容が前記放送の再生に追いつくまで、前記ＴＶチューナの出力を前記記憶部に記憶する、請求項５記載の携帯通信端末。
【請求項７】
前記着信は、自機を宛先とする呼の到来である着呼を含む、請求項１記載の携帯通信端末。
【請求項８】
ＴＶ放送を受信するＴＶチューナを有する、携帯通信端末のプロセッサを、
前記ＴＶチューナの出力を着信があったときに記憶部に記憶するタイムシフト機能を設定する設定部、
前記タイムシフト機能が設定されている場合に、着信があったとき、前記ＴＶチューナの出力を前記記憶部に記憶する制御部、
前記タイムシフト機能を不能化する不能化部、および
前記タイムシフト機能が不能化されている場合に、着信があったとき、前記ＴＶチューナの電源をオフにする電源オフ部として機能させる、ＴＶチューナ制御プログラム。
【請求項９】
ＴＶ放送を受信するＴＶチューナを有する、携帯通信端末のＴＶチューナ制御方法であって、
前記ＴＶチューナの出力を着信があったときに記憶部に記憶するタイムシフト機能を設定し、
前記タイムシフト機能が設定されている場合に、着信があったとき、前記ＴＶチューナの出力を前記記憶部に記憶し、
前記タイムシフト機能を不能化し、そして
前記タイムシフト機能が不能化されている場合に、着信があったとき、前記ＴＶチューナの電源をオフにする、ＴＶチューナ制御方法。
【請求項１０】
放送を受信するチューナを有する、携帯通信端末であって、
前記チューナの出力を着信があったときに記憶部に記憶するタイムシフト機能を設定する設定部、
前記タイムシフト機能が設定されている場合に、着信があったとき、前記チューナの出力を前記記憶部に記憶する制御部、
前記タイムシフト機能を不能化する不能化部、および
前記タイムシフト機能が不能化されている場合に、着信があったとき、前記チューナの電源をオフにする電源オフ部を備える、携帯通信端末。
【発明の詳細な説明】
【技術分野】
【０００１】
この発明は、携帯通信端末、ＴＶチューナ制御プログラムおよびＴＶチューナ制御方法に関し、特にたとえばＴＶ放送を視聴できる、携帯通信端末、ＴＶチューナ制御プログラムおよびＴＶチューナ制御方法に関する。
【背景技術】
【０００２】
従来、特にたとえばＴＶ放送を視聴できる携帯電話が知られており、この種の装置の一例が、特許文献１に開示されている。この背景技術の携帯電話は、制御信号を出力する赤外線通信部、フラッシュメモリから動画像と音声とを読み出す記憶部、読み出された動画像と音声とを出力する制御部および入力された動画像と音声とをケーブルで接続されたテレビ受像機に出力する映像入出力部などを有する。そして、制御部は、着呼がある場合に、赤外線通信部にテレビ受信機の電源をオフにする制御信号を出力させる。これにより、ユーザは、特別な操作をせずに、携帯電話の着呼に合わせてテレビ受信機の状態を切り替えることができる。
【特許文献１】特開２００５−２７７７２９号公報［H04M 1/00, H04Q 7/38］
【発明の概要】
【発明が解決しようとする課題】
【０００３】
近年、特許文献１のテレビ受像機が有するチューナを備える携帯電話が開発されており、携帯電話単体で、ＴＶ放送に対応する動画像と音声とを出力できる。また、ＴＶ放送の視聴中に着呼があると、通話中のＴＶ放送を一時的に録画し、通話終了後にＴＶ放送の視聴に戻ると、一時的に録画されたデータを再生するタイムシフト機能を有する、携帯電話も開発されている。
【０００４】
ところが、チューナを備える携帯電話では、タイムシフト再生機能が利用できないようにされていたとしても、ＴＶ視聴中に着信があると、通話が終了して即座にＴＶ視聴に戻れるようにするため、チューナの電源がオンにされたままになる。
【０００５】
それゆえに、この発明の主たる目的は、新規な、携帯通信端末、ＴＶチューナ制御プログラムおよびチューナ制御方法を提供することである。
【０００６】
この発明の他の目的は、消費電力を削減することができる、携帯通信端末、ＴＶチューナ制御プログラムおよびＴＶチューナ制御方法を提供することである。
【課題を解決するための手段】
【０００７】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００８】
第１の発明は、ＴＶ放送を受信するＴＶチューナを有する、携帯通信端末であって、ＴＶチューナの出力を着信があったときに記憶部に記憶するタイムシフト機能を設定する設定部、タイムシフト機能が設定されている場合に、着信があったとき、ＴＶチューナの出力を記憶部に記憶する制御部、タイムシフト機能を不能化する不能化部、およびタイムシフト機能が不能化されている場合に、着信があったとき、ＴＶチューナの電源をオフにする電源オフ部を備える、携帯通信端末である。
【０００９】
第１の発明では、ＴＶ視聴機能を有する携帯通信端末（１０）はＴＶチューナ（３２）を備える。設定部（２０，Ｓ７）は、ＴＶ視聴中に着呼があると、タイムシフト機能に従ってＴＶチューナの出力を、記憶部（２８）に設けられるバッファ（２１０）に記憶する、タイムシフト機能を利用可能に設定する。制御部（２０，Ｓ３７）は、タイムシフト機能が実行可能なように設定されている場合に、着信があると、ＴＶチューナの出力を記憶部のバッファに記憶させる。不能化部（２０，Ｓ５）は、タイムシフト機能が実行されないように不能化する。そして、電源オフ部（２０，Ｓ２９）は、タイムシフト機能が実行されないように不能化されている場合に、着信があると、ＴＶチューナの電源をオフにする。
【００１０】
第１の発明によれば、タイムシフト機能が利用でき、かつタイムシフト機能が不能化されている携帯通信端末では、消費電力が削減される。
【００１１】
第２の発明は、第１の発明に従属し、ＴＶ放送に対応する番組を出力する出力部、およびＴＶチューナの電源がオフにされた後に、出力部による番組の出力が可能になったとき、ＴＶチューナの電源をオンにする電源オン部をさらに備える。
【００１２】
第２の発明では、出力部（２６，１８ｂ）は、ディスプレイ（２６）やスピーカ（１８ｂ）などを含み、ＴＶ放送に対応する番組を出力する。電源オン部（２０，Ｓ３３）は、ＴＶチューナの電源がオフの状態で、たとえば通話処理が終了して番組が再度出力可能になれば、ＴＶチューナの電源をオンにする。また、通話処理が終了したり、受信中の発呼信号が途絶したりすれば、番組が出力可能になる。
【００１３】
第２の発明によれば、携帯通信端末がＴＶ視聴機能を実行可能な状態に戻れば、使用者は、ＴＶ視聴を再開することができる。
【００１４】
第３の発明は、第２の発明は、タイムシフト機能が不能化されている場合に、着信があったとき、ＴＶチューナに設定されるチャンネルを記憶するチャンネル記憶部、およびＴＶチューナの電源がオンにされた後、チャンネル記憶部によって記憶されたチャンネルをＴＶチューナに設定するチャンネル設定部をさらに備える。
【００１５】
第３の発明では、チャンネル記憶部（２０，Ｓ２７）は、タイムシフト機能が不能化されているとき、ＴＶチューナの電源がオフにされる前に、ＴＶチューナに設定されているチャンネルを記憶する。そして、チャンネル設定部（２０，Ｓ３５）は、番組の出力が可能になり、ＴＶチューナの電源がオンにされれば、チャンネル記憶部によって記憶されたチャンネルをＴＶチューナに設定する。
【００１６】
第３の発明によれば、使用者は、着信がある前の番組を引き続き視聴することができる。
【００１７】
第４の発明は、第１の発明に従属し、ＴＶチューナの出力を使用者の操作に基づいて記憶部に記憶する録画部を備え、電源オフ部は、着信があったとき、録画部によるＴＶチューナの出力の記憶がされていないことを条件に、ＴＶチューナの電源をオフにする。
【００１８】
第４の発明では、録画部（２０）は、ＴＶ番組を録画する操作が使用者によって行われると、ＴＶチューナの出力を記憶部に記憶する。そして、電源オフ部は、着信があったとき、番組が録画されていなければ、ＴＶチューナの電源をオフにする。
【００１９】
第４の発明によれば、ＴＶ番組が録画されている場合には、ＴＶチューナの電源がオフにされないため、使用者の利便性を阻害することはない。
【００２０】
第５の発明は、第１の発明に従属し、タイムシフト機能は、記憶部に記憶されたＴＶチューナの出力を、着信に基づく通話処理が終了した後に再生する機能を有する。
【００２１】
第５の発明では、タイムシフト機能によって録画された番組は、通話が終了すれば再生される。
【００２２】
第５の発明によれば、使用者は、通話中に記憶された番組を、通話を終了すればすぐに、視聴することができる。
【００２３】
第６の発明は、第５の発明に従属し、タイムシフト機能は、記憶部に記憶されたＴＶチューナの出力が再生され、当該再生内容が放送の再生に追いつくまで、ＴＶチューナの出力を記憶部に記憶する。
【００２４】
第６の発明では、タイムシフト機能による記憶は、当該再生内容が放送の再生に追いつくまで続けられる。
【００２５】
第６の発明によれば、使用者は、ＴＶ視聴が着信によって中断されたとしても、当該再生内容が放送の再生に追いつくまでの全てを確認することができる。
【００２６】
第７の発明は、第１の発明に従属し、着信は、自機を宛先とする呼の到来である着呼を含む。
【００２７】
第７の発明では、着呼は、他の電話機から自機を宛先とする呼が発呼されたときに到来する。
【００２８】
第７の発明によれば、タイムシフト機能が利用でき、かつタイムシフト機能が不能化されている携帯通信端末では、消費電力が削減される。
【００２９】
第８の発明は、ＴＶ放送を受信するＴＶチューナ（３２）を有する、携帯通信端末（１０）のプロセッサ（２０）を、ＴＶチューナの出力を着信があったときに記憶部（２８）に記憶するタイムシフト機能を設定する設定部（Ｓ７）、タイムシフト機能が設定されている場合に、着信があったとき、ＴＶチューナの出力を記憶部に記憶する制御部（Ｓ３７）、タイムシフト機能を不能化する不能化部（Ｓ５）、およびタイムシフト機能が不能化されている場合に、着信があったとき、ＴＶチューナの電源をオフにする電源オフ部（Ｓ２９）として機能させる、ＴＶチューナ制御プログラムである。
【００３０】
第８の発明でも、第１の発明と同様に、タイムシフト機能が利用でき、かつタイムシフト機能が不能化されている携帯通信端末では、消費電力が削減される。
【００３１】
第９の発明は、ＴＶ放送を受信するＴＶチューナ（３２）を有する、携帯通信端末（１０）のＴＶチューナ制御方法であって、ＴＶチューナの出力を着信があったときに記憶部（２８）に記憶するタイムシフト機能を設定し（Ｓ７）、タイムシフト機能が設定されている場合に、着信があったとき、ＴＶチューナの出力を記憶部に記憶し（Ｓ３７）、タイムシフト機能を不能化し（Ｓ５）、そしてタイムシフト機能が不能化されている場合に、着信があったとき、ＴＶチューナの電源をオフにする（Ｓ２９）、ＴＶチューナ制御方法である。
【００３２】
第９の発明でも、第１の発明と同様に、タイムシフト機能が利用でき、かつタイムシフト機能が不能化されている携帯通信端末では、消費電力が削減される。
【００３３】
第１０の発明は、放送を受信するチューナ（３２）を有する、携帯通信端末（１０）であって、前記チューナの出力を着信があったときに記憶部（２８）に記憶するタイムシフト機能を設定する設定部（２０，Ｓ７）、タイムシフト機能が設定されている場合に、着信があったとき、チューナの出力を記憶部に記憶する制御部（２０，Ｓ３７）、前記タイムシフト機能を不能化する不能化部（２０，Ｓ５）、および前記タイムシフト機能が不能化されている場合に、着信があったとき、前記チューナの電源をオフにする電源オフ部（２０，Ｓ２９）を備える、携帯通信端末である。
【００３４】
第１０の発明では、タイムシフト機能が利用でき、かつタイムシフト機能が不能化されている携帯通信端末では、たとえばデジタルラジオを聴いている間に着信があると、消費電力が削減される。
【発明の効果】
【００３５】
この発明によれば、タイムシフト機能が利用でき、かつタイムシフト機能が不能化されている携帯通信端末では、消費電力が削減される。
【００３６】
この発明の上述の目的、その他の目的、特徴および利点は、図面を参照して行う以下の実施例の詳細な説明から一層明らかとなろう。
【図面の簡単な説明】
【００３７】
【図１】図１はこの発明の一実施例の携帯通信端末の電気的な構成を示すブロック図である。
【図２】図２は図１に示す携帯通信端末の外観の一例を示す図解図である。
【図３】図３は図１に示すディスプレイの表示例を示す図解図である。
【図４】図４は図１に示すディスプレイの他の表示例を示す図解図である。
【図５】図５は図１に示すディスプレイのその他の表示例を示す図解図である。
【図６】図６は図１に示すディスプレイの表示遷移の一例を示す図解図である。
【図７】図７は図１に示すフラッシュメモリのメモリマップの一例を示す図解図である。
【図８】図８は図１に示すＲＡＭのメモリマップの一例を示す図解図である。
【図９】図９は図１に示すプロセッサの設定処理を示すフロー図である。
【図１０】図１０は図１に示すプロセッサのＴＶ視聴処理を示すフロー図である。
【図１１】図１１は図１に示すプロセッサのタイムシフト再生処理を示すフロー図である。
【発明を実施するための形態】
【００３８】
図１を参照して、携帯通信端末１０は、CPUまたはコンピュータと呼ばれる、プロセッサ２０などを含み、プロセッサ２０には時刻情報を出力するＲＴＣ２０ａが含まれる。携帯通信端末１０は電話機能を有しており、プロセッサ２０はCDMAに対応する無線通信回路１４を制御して発呼信号を出力する。出力された発呼信号は、アンテナ１２から送出され、基地局を含む移動通信網に送信される。通話相手が応答操作を行うと、通話可能状態が確立される。
【００３９】
通話可能状態に移行した後にキー入力装置２２によって通話終了操作が行われると、プロセッサ２０は、無線通信回路１４を制御して、通話相手に通話終了信号を送信する。そして、通話終了信号の送信後、プロセッサ２０は、通話処理を終了する。また、先に通話相手から通話終了信号を受信した場合も、プロセッサ２０は、通話処理を終了する。さらに、通話相手によらず、移動通信網から通話終了信号を受信した場合も、プロセッサ２０は通話処理を終了する。
【００４０】
携帯通信端末１０が起動している状態で通話相手からの発呼信号がアンテナ１２によって捉えられると、無線通信回路１４は、電子メールなどの各種データや音声などの情報が到達したことを示す着信のうち、テレビ電話や音声通話などの着信である着呼をプロセッサ２０に通知する。プロセッサ２０は、第２スピーカ１８ｂから着呼音を出力させ、さらに図示しないモータを駆動（回転）させることで携帯通信端末１０を振動させて、発呼信号を受信している状態（着呼状態とも言う。）であることを使用者に通知する。そして、プロセッサ２０は、表示ドライバ２４を制御することで、発呼信号と共に通話相手から送信される発呼元情報をディスプレイ２６に表示させる。
【００４１】
なお、発呼信号および発呼元情報を受信するアンテナ１２は受信部として機能する。また、プロセッサ２０は着呼状態を使用者に通知するために、図示しないLEDを発光させることもある。さらに、ディスプレイ２６は表示部または表示装置と呼ばれることもある。
【００４２】
通話可能状態では、次のような処理が実行される。通話相手から送られてきた変調音声信号（高周波信号）は、アンテナ１２によって受信される。受信された変調音声信号は、無線通信回路１４によって復調処理および復号処理が施される。そして、得られた受話音声信号は、第１スピーカ１８ａから出力される。一方、マイク１６によって取り込まれた送話音声信号は、無線通信回路１４によって符号化処理および変調処理が施される。そして、生成された変調音声信号は、上述と同様、アンテナ１２を利用して通話相手に送信される。なお、第１スピーカ１８ａおよび第２スピーカ１８ｂは音声出力装置と呼ばれることもある。
【００４３】
また、携帯通信端末１０は、二次電池であるリチウムイオン電池３８の電圧に基づく電源をシステム全体に供給する電源回路３６を含む。たとえば、電源回路３６は、ＴＶチューナ３２に、リチウムイオン電池３８の電圧に基づく電源を供給する。また、プロセッサ２０は、電源回路３６を制御することで、ＴＶチューナ３２の電源をオン／オフすることが可能である。
【００４４】
また、電源回路３６がリチウムイオン電池３８の電圧に基づく電源をシステム全体に供給している場合には、電源オン状態と言うことにする。同様に、電源回路３６がリチウムイオン電池３８の電圧に基づく電源をシステム全体に供給していない場合には、電源オフ状態と言うことにする。電源回路３６は、電源オフ状態で、キー入力装置２２によって電源オン操作がされると起動され、電源オン状態で、キー入力装置２２による電源オフ操作がされると停止される。さらに、電源オフ状態であっても、電源回路３６は、リチウムイオン電池３８の充電を検出すると起動し、リチウムイオン電池３８の充電が完了するのに応答して停止する。また、リチウムイオン電池３８が充電されている状態を充電状態と言う。
【００４５】
また、携帯通信端末１０は、ＴＶ視聴機能を備えており、キー入力装置２２によってＴＶ視聴機能を実行する操作が行われると、ディスプレイ２６にはＴＶ放送による映像が表示され、第２スピーカ１８ｂからはＴＶ放送による音声が出力される。具体的には、ＴＶチューナ３２は、ＴＶアンテナ３４によって受信したＴＶ放送信号から、選局されたチャンネルに対応するＴＶ放送信号を抽出する。また、ＴＶチューナ３２は、その抽出したＴＶ放送信号に対して復調等の処理を行い、復調信号（トランスポートストリームとも言う。）を生成する。さらに、ＴＶチューナ３２は復調信号をプロセッサ２０に出力し、プロセッサ２０は復調信号に対してMPEG方式に基づいた復号処理を行い、映像信号および音声信号を形成する。そして、その形成された映像信号はディスプレイ２６に出力され、ディスプレイ２６には、選局されたチャンネルのＴＶ放送による映像が表示される。また、形成された音声信号は第２スピーカ１８ｂに出力され、第２スピーカ１８ｂから選局されたチャンネルのＴＶ放送による音声が出力される。
【００４６】
なお、第２スピーカ１８ｂおよびディスプレイ２６は、まとめて出力部と呼ばれることがある。また、ＴＶ放送による映像および音声は、まとめて番組と呼ばれることもある。
【００４７】
また、携帯通信端末１０は、ＴＶ視聴機能が実行されている状態であれば、タイムシフト機能を実行することも可能である。タイムシフト機能とは、ＴＶ視聴中に着呼があると、ＴＶチューナ３２の出力を録画し、たとえば通話が終了すると録画された番組を再生するための機能である。また、録画する処理および再生する処理のそれぞれは、再生が現在のＴＶ放送に追いつくか、使用者によって中断されるまで続けられる。なお、録画された番組を、現在のＴＶ放送に追いつくまで再生する処理は「タイムシフト再生」と呼ばれる。これにより、タイムシフト機能が実行されることで、使用者は、不意の着呼によって番組の出力が中断されたとしても、着呼中および通話中の番組を確認できるようになる。
【００４８】
図２は、携帯通信端末１０の外観を示す図解図である。図２を参照して、携帯通信端末１０は、ストレート型の形状をしており、平面矩形の筐体Ｃを有する。図示しないマイク１６は、筐体Ｃに内蔵され、内蔵されたマイク１６に通じる開口ＯＰ２は筐体Ｃの長さ方向一方の主面に設けられる。同じく、図示しない第１スピーカ１８ａは、筐体Ｃに内蔵され、内蔵された第１スピーカ１８ａに通じる開口ＯＰ１は、筐体Ｃの長さ方向他方の主面に設けられる。
【００４９】
キー入力装置２２は、上方向キー２２ａ、下方向キー２２ｂ、左方向キー２２ｃおよび右方向キー２２ｄを含むとともに、確定キー２２ｅ、メニューキー２２ｆおよびメニューキー２２ｇなども含み、各キーは筐体Ｃの主面に設けられる。なお、上方向キー２２ａ、下方向キー２２ｂ、左方向キー２２ｃおよび右方向キー２２ｄは、まとめてカーソルキーと呼ばれることもある。また、キー入力装置２２には、通話キー、終話キーおよびテンキーなども含まれ、これらのキーも筐体Ｃの主面に設けられる。
【００５０】
たとえば、使用者は、ディスプレイ２６を確認しながら、テンキーを操作して電話番号を入力し、通話キーによって発呼操作を行い、終話キーによって通話終了操作を行う。また、使用者は、メニューキー２２ｆまたはメニューキー２２ｇを操作することでメニュー画面を表示し、カーソルキーによって任意のメニューを選択できる。さらに、使用者は、確定キー２２ｅを操作することで、選択されたメニューを確定できる。そして、使用者は、終話キーを長押しすることで携帯通信端末１０の電源をオン／オフする。
【００５１】
なお、アンテナ１２、無線通信回路１４、プロセッサ２０、表示ドライバ２４、フラッシュメモリ２８、ＲＡＭ３０、ＴＶチューナ３２、ＴＶアンテナ３４、電源回路３６およびリチウムイオン電池３８は、筐体Ｃに内蔵されており、図２では、図示されない。また、図示は省略するが、筐体Ｃの他面には、第２スピーカ１８ｂに通じる開口ＯＰ３がさらに設けられる。
【００５２】
図３は、ディスプレイ２６の表示を示す図解図である。図３を参照して、ディスプレイ２６によって表示される画面は、状態表示領域６０および機能表示領域６２から構成される。状態表示領域６０には、アンテナ１２による電波受信状態およびリチウムイオン電池３８の残電池容量を示すアイコン（ピクトと言うこともある。）と、現在日時とが表示される。また、機能表示領域６２には、携帯通信端末１０で実行される機能に応じて様々な画像が表示され、実行される機能によって、ソフトキー６４−６８が表示されることがある。
【００５３】
また、ソフトキー６４−６８は、キー入力装置２２に含まれるキーと対応している。具体的には、ソフトキー６４はメニューキー２２ｆと対応しており、ソフトキー６６は確定キー２２ｅと対応しており、ソフトキー６８はメニューキー２２ｇと対応する。たとえば、ソフトキー６４を操作する場合には、使用者はメニューキー２２ｆを押下すればよい。
【００５４】
なお、ソフトキー６４−６８は、実行される機能によって対応付けられる処理が異なる。また、状態表示領域６２に表示される現在時刻は、ＲＴＣ２０ａから出力される時刻情報に基づく。
【００５５】
図４を参照して、ＴＶ視聴機能が実行されると、機能表示領域６２は、メイン領域７０、サブ領域７２およびキー領域７４に分けられる。メイン領域７０には選局されたチャンネルに対応する映像が表示され、サブ領域７２には選局されたチャンネルに対応する文字情報（データ放送）が表示される。そして、キー領域７６には、ＴＶ視聴機能に対応するソフトキー６４およびソフトキー６８が表示される。なお、ＴＶ視聴機能ではソフトキー６６は利用されないため、ソフトキー６６は表示されない。
【００５６】
たとえば、「音量」と書かれたソフトキー６４が操作されると、サブ領域７２には、ＴＶ放送による音声の音量を調整するためのＧＵＩが表示される。そして、ＧＵＩに基づく操作が使用者によって行われると、ＴＶ放送による音声の音量が調整される。
【００５７】
また、図５（Ａ）を参照して、「メニュー」と書かれたソフトキー６８が操作されると、サブ領域７２には、ＴＶ視聴機能に対応するＴＶメニューが表示される。ＴＶメニューは、「１．タイムシフト機能」および「２．ヘルプ」などから構成される。また、各メニューには番号が対応付けられており、使用者はメニューに対応する番号と同じ番号を操作することで、任意のメニューを選択することができる。
【００５８】
さらに、図５（Ｂ）を参照して、テンキーに含まれる「１」のキーが操作されると、サブ領域７２にはタイムシフト機能の設定画面が表示される。この設定画面が表示されると、タイムシフト機能が利用できるように設定するか、利用できないように不能化するかの操作を行うことができる。具体的には、設定画面に表示される「１．Ｙｅｓ」が選択されると、タイムシフト機能が利用できるように設定され、「２．ＮＯ」が選択されると、タイムシフト機能が利用できないように不能化される。
【００５９】
なお、「１．Ｙｅｓ」と「２．Ｎｏ」との選択方法は、ＴＶメニューの選択方法と同じであるため、詳細な説明は省略する。また、図５（Ａ），（Ｂ）において、ソフトキー６８は、操作されたことを示すために、背景色が変更される。そして、図５（Ａ）を再度参照して、使用者は「２」のキーを操作することで、ＴＶ視聴機能の操作方法を確認することができる。
【００６０】
ここで、本実施例では、タイムシフト機能が不能化されているときに着呼があると、ＴＶチューナ３２の電源がオフにされる。図６を参照して、ＴＶ視聴中に着呼があるときの携帯通信端末１０の動作について詳細に説明する。
【００６１】
まず、ディスプレイ２６にＴＶ放送による映像が表示される状態（ＴＶ視聴状態）で、アンテナ１２によって発呼信号が受信されると、携帯通信端末１０は着呼状態となり、ディスプレイ２６には着呼状態であることを示す画像および文字列が表示される。また、プロセッサ２０は着呼があると、タイムシフト機能が不能化されているかを判断し、不能化されていればＴＶチューナ３２の電源をオフにする。つまり、携帯通信端末１０は、ＴＶチューナ３２の電源をオフにすることで、着呼中および通話中の消費電力を削減する。なお、プロセッサ２０は、ＴＶチューナ３２の電源をオフにする前に、ＴＶチューナ３２に設定されているチャンネルを一時的に記憶する。
【００６２】
次に、着呼状態で通話キーが操作されると、プロセッサ２０は通話処理を実行することで、通話可能状態を確立する。つまり、使用者は、着呼状態で通話キーを操作することで、通話相手との通話を開始することができる。また、使用者は、通話可能状態で、終話キーを操作すると、通話を終了することができる。
【００６３】
そして、プロセッサ２０は、通話処理が終了すると、ＴＶチューナ３２の電源をオンにし、ＴＶ放送による映像をディスプレイ２６に再度表示させる。つまり、使用者は、携帯通信端末１０がＴＶ視聴機能を実行可能な状態に戻れば、ＴＶ視聴を再開することができる。
【００６４】
また、ＴＶ視聴が再開される際には、プロセッサ２０は、ＴＶチューナ３２の電源がオンにされた後に、一時記憶したチャンネルをチューナ３２に再度設定する。つまり、使用者は、着呼がある前の番組を引き続き視聴することができる。
【００６５】
なお、使用者の操作によって、ＴＶチューナ３２の出力が録画されている場合には、タイムシフト機能が不能化されていたとしても、ＴＶチューナ３２の電源はオフにされない
ため、使用者の利便性を阻害することはない。また、ＴＶ番組を録画する処理を実行するプロセッサ２０は録画部として機能する。
【００６６】
さらに、通話相手によって発信された通話終了信号を受信した場合でも、ＴＶチューナ３２の電源はオンにされる。また、着呼状態で、通話可能状態が確立されることなく、相手からの発呼信号が途絶したとしても、ＴＶチューナ３２の電源はオンにされる。
【００６７】
図７は、記憶部であるフラッシュメモリ２８のメモリマップ２００を示す図解図である。図７を参照して、フラッシュメモリ２８のメモリマップ２００には、データ記憶領域２０２などが含まれる。データ記憶領域２０２には一時録画バッファ２１０などが設けられ、この一時録画バッファ２１０は、タイムシフト機能によって録画されるデータが一旦記憶されるバッファである。なお、メモリマップ２００には、プログラム記憶領域なども含まれるが、図７では説明の簡単のために図示を省略する。
【００６８】
図８は、ＲＡＭ３０のメモリマップ３００を示す図解図である。図８を参照して、ＲＡＭ３０のメモリマップ３００には、プログラム記憶領域３０２およびデータ記憶領域３０４が含まれる。プログラムおよびデータの一部は、フラッシュメモリ２８から一度に全部または必要に応じて部分的にかつ順次的に読み出され、ＲＡＭ３０に記憶されてからプロセッサ２０によって処理される。
【００６９】
プログラム記憶領域３０２には、設定プログラム３１０、ＴＶ視聴プログラム３１２およびタイムシフト再生プログラム３１４などから構成される。設定プログラム３１０は、タイムシフト機能を利用するように設定したり、不能化したりするためのプログラムである。ＴＶ視聴プログラム３１２は、ＴＶ視聴中の携帯通信端末１０を制御するためのプログラムである。タイムシフト再生プログラム３１４は、着呼によって一時的に録画されたデータをタイムシフト再生するためのプログラムである。
【００７０】
なお、図示は省略するが、携帯通信端末１０を動作させるためのプログラムには、電話機能を実行するためのプログラム、使用者の操作に応じてＴＶ番組を録画するプログラムおよびＧＵＩの表示を制御するためのプログラムなどが含まれる。
【００７１】
データ記憶領域３０４には、チャンネル情報バッファ３３０が設けられると共に、着呼音データ３３２およびＧＵＩデータ３３４などが記憶される。また、データ記憶領域３０４には、視聴中断フラグ３３６およびタイムシフトフラグ３３８が設けられる。チャンネル情報バッファ３３０は、ＴＶチューナ３２の電源がオフにされる前に設定されていたチャンネルの情報が一時的に記憶されるバッファである。
【００７２】
着呼音データ３３２は、着呼状態で第２スピーカ１８ｂから出力される着呼音のデータである。ＧＵＩデータ３３４は、たとえばＴＶ視聴機能が実行されたときに、ディスプレイ２６に表示されるソフトキー６４，６８などに表示される文字列などのデータである。
【００７３】
視聴中断フラグ３３６は、ＴＶ視聴が可能な状態であるか否かを判断するためのフラグである。たとえば、視聴中断フラグ３３６は１ビットのレジスタで構成される。また、視聴中断フラグ３３６がオン（成立）にされると、レジスタにはデータ値「１」が設定される。一方、視聴中断フラグ３３６がオフ（不成立）されると、レジスタにはデータ値「０」が設定される。また、視聴中断フラグ３３６は、ＴＶ視聴機能が実行されている状態で、着呼があるとオンにされ、終話キーが操作されるとオンにされる。
【００７４】
タイムシフトフラグ３３８は、タイムシフト機能が設定されているか否かを判断するためのフラグである。そのため、タイムシフト機能が不能化されると、タイムシフトフラグ３３８はオフにされる。
【００７５】
なお、タイムシフトフラグ３３８の構成は、視聴中断フラグ３３６と同じであるため、詳細な説明は省略する。また、図示は省略するが、データ記憶領域３０４には、ディスプレイ２６に表示される画像データなどが記憶されると共に、携帯通信端末１０の動作に必要なカウンタや、ＴＶ番組の録画状態を示すフラグなども設けられる。
【００７６】
プロセッサ２０は、「Linux（登録商標）」および「REX」などのRTOS(Real-time Operating System)の制御下で、図９に示す設定処理、図１０に示すＴＶ視聴処理および図１１に示すタイムシフト再生処理などを含む、複数のタスクを並列的に処理する。
【００７７】
図９は、設定処理のフロー図である。たとえば、ＴＶ視聴機能が実行されている状態で、図５（Ａ）に示す「１．タイムシフト機能」のメニューが選択されると、プロセッサ２０は、ステップＳ１で設定画面を表示する。つまり、ディスプレイ２６におけるサブ領域７２に、図５（Ｂ）に示す設定画面を表示させる。続いて、ステップＳ３では、タイムシフト機能が不能化されたか否かを判断する。たとえば、設定画面において「２．Ｎｏ」が選択されたか否かを判断する。ステップＳ３で“ＮＯ”であれば、たとえば設定画面で「２．Ｎｏ」が選択されれば、ステップＳ５でタイムシフトフラグ３３８をオフにして、設定処理を終了する。つまり、ステップＳ５では、タイムシフト機能を不能化するために、タイムシフトフラグ３３８がオフにされる。一方、ステップＳ３で“ＹＥＳ”であれば、たとえば設定画面で「１．Ｙｅｓ」が選択されれば、ステップＳ７でタイムシフトフラグ３３８をオンにし、設定処理を終了する。つまり、ステップＳ７では、タイムシフト機能を利用するために、タイムシフトフラグ３３８がオンにされる。
【００７８】
なお、ステップＳ５の処理を実行するプロセッサ２０は不能化部として機能し、ステップＳ７の処理を実行するプロセッサ２０は設定部として機能する。
【００７９】
図１０は、ＴＶ視聴処理のフロー図である。たとえば、ＴＶ視聴機能が実行されると、ステップＳ２１では、着呼があるか否かを判断する。つまり、ステップＳ２１では、無線通信回路１４から着呼が通知されたか否かを判断する。ステップＳ２１で“ＹＥＳ”であれば、つまり着呼があればステップＳ２４に進む。一方、ステップＳ２１で“ＮＯ”であれば、つまり着呼がなければ、ステップＳ２３で視聴終了か否かを判断する。たとえば、使用者によってＴＶ視聴機能を終了する操作がされたか否かを判断する。ステップＳ２３で“ＮＯ”であれば、つまりＴＶ視聴機能を終了する操作がされていなければ、ステップＳ２１に戻る。一方、ステップＳ２３で“ＹＥＳ”であれば、つまりＴＶ視聴機能を終了する操作がされていれば、ＴＶ視聴処理を終了する。
【００８０】
ステップＳ２４では、録画処理が実行されているか否かを判断する。たとえば、使用者の操作によって、ＴＶ番組を録画する録画処理が実行されているか否かを判断する。ステップＳ２４で“ＹＥＳ”であれば、たとえば録画処理が実行されることを示すフラグなどがオンであれば、ステップＳ２３に進む。一方、ステップＳ２４で“ＮＯ”であれば、たとえば録画処理が実行されていることを示すフラグがオフであれば、ステップＳ２５に進む。
【００８１】
続いて、ステップＳ２５では、タイムシフト機能が不能化されているか否かを判断する。つまりタイムシフトフラグ３３８がオフであるか否かを判断する。ステップＳ２５で“ＮＯ”であれば、つまりタイムシフト機能が利用可能に設定されていれば、ステップＳ３７に進む。一方、ステップＳ２５で“ＹＥＳ”であれば、つまりタイムシフト機能が不能化されていれば、ステップＳ２７でチャンネル情報を記憶する。つまり、ＴＶチューナ３２に設定されているチャンネルを示すデータ（情報）をＴＶチューナ３２から読み出して、チャンネル情報バッファ３３０に一時記憶させる。なお、ステップＳ２７の処理を実行するプロセッサ２０はチャンネル記憶部として機能する。
【００８２】
続いて、ステップＳ２９では、ＴＶチューナ３２の電源をオフにする。つまり、プロセッサ２０は、電源回路３６を制御することで、ＴＶチューナ３２の電源をオフにする。なお、ステップＳ２９の処理を実行するプロセッサ２０は電源オフ部として機能する。続いて、ステップＳ３１では、ＴＶ視聴が可能になったか否かを判断する。たとえば、通話処理が終了して、視聴中断フラグ３３６がオフになったか否かを判断する。ステップＳ３１で“ＮＯ”であれば、つまり視聴中断フラグ３３６がオンであれば、視聴中断フラグ３３６がオフになるまで、ステップＳ３１を繰り返し実行する。たとえば、ステップＳ３１は、通話処理が終了されるまで繰り返し実行される。
【００８３】
また、ステップＳ３１で“ＹＥＳ”であれば、つまり視聴中断フラグ３３６がオフになれば、ステップＳ３３でＴＶチューナ３２の電源をオンにする。つまり、プロセッサ２０は、電源回路３６を制御することで、ＴＶチューナ３２の電源をオンにする。なお、ステップＳ３３の処理を実行するプロセッサ２０は電源オン部として機能する。続いて、ステップＳ３５では、チャンネルを設定し、ステップＳ２１に戻る。つまり、ステップＳ２１では、チャンネル情報バッファ３３０に一時記憶されたチャンネルを、電源がオンされたＴＶチューナ３２に設定する。これにより、ＴＶチューナ３２が電源をオフにされる前の状態に戻るため、使用者は着呼前に視聴していた番組を、引き続き視聴することができる。なお、ステップＳ３５の処理を実行するプロセッサ２０はチャンネル設定部として機能する。
【００８４】
ここで、着呼があるときに、タイムシフト機能が設定されていれば、ステップＳ３７でＴＶ放送を一時的に録画する。なお、ステップＳ３７の処理を実行するプロセッサ２０は、制御部として機能する。たとえば、プロセッサ２０は、ＴＶチューナ３２から入力される復調信号を、録画データとして一時録画バッファ２１０に記憶する。また、プロセッサ２０は、記憶する際にＲＴＣ２０ａが出力する時刻情報を録画データに対応付ける。これにより、使用者は、通話中に録画された番組を、通話を終了すればすぐに、視聴することができる。
【００８５】
続いて、ステップＳ３９では、録画の終了指示が発行されたか否かを判断する。たとえば、タイムシフト再生が終了することで、録画終了の指示が発行されたか否かを判断する。ステップＳ３９で“ＮＯ”であれば、つまり録画終了の指示が発行されなければステップＳ３７に戻る。たとえば、タイムシフト再生によって現在の放送に追いつくまで、ＴＶ放送は、録画され続ける。つまり、使用者は、ＴＶ視聴が着信によって中断されたとしても、当該再生内容が放送の再生に追いつくまでの全てを確認することができる。
【００８６】
また、ステップＳ３９で“ＹＥＳ”であれば、つまり録画終了の指示が発行されれば、ステップＳ４１で一時的に録画されたデータを削除し、ステップＳ２１に戻る。つまり、ステップＳ４１では、一時録画バッファ２１０を初期化することで、録画データを削除する。
【００８７】
このように、タイムシフト機能によって録画された録画データは、フラッシュメモリ２８などに保存されることはない。そのため、著作権保護情報を含むＴＶ放送であっても、例外的に録画することが可能になる。
【００８８】
もっとも、本願発明の携帯通信端末１０は、タイムシフト機能によって録画された録画データをフラッシュメモリ２８から常に削除する場合に限定されるものではなく、タイムシフト機能によって録画された録画データをフラッシュメモリ２８から削除しないとしてもよい。また、本願発明の携帯通信端末１０は、タイムシフト機能によって録画された録画データの一部をフラッシュメモリ２８から削除するとしてもよい。
【００８９】
図１１は、タイムシフト再生処理のフロー図である。たとえば、通話処理が終了し、使用者によってタイムシフト再生の実行が了承されると、プロセッサ２０はステップＳ６１で再生モードを設定する。本実施例における再生モードは、「通常再生」、「早送り再生」および「高速再生」の３種類であり、ステップＳ６１では、「通常再生」が設定される。なお、ステップＳ６１で設定される再生モードは、「通常再生」ではなく、「早送り再生」または「高速再生」であってもよい。
【００９０】
続いて、ステップＳ６３では、一時的に録画されたデータを読み出す。つまり、一時録画バッファ２１０に記憶された、録画データを読み出す。続いて、ステップＳ６５では、読み出されたデータを再生する。つまり、設定された再生モードに基づき、読み出された録画データを再生する。具体的には、録画データを復調信号に変換して、MPEG方式に基づいた復号処理を行い、映像信号および音声信号を形成する。そして、プロセッサ２０は、映像信号をディスプレイ２６に出力し、音声信号を第２スピーカ１８ｂに出力することで、ディスプレイ２６と第２スピーカ１８ｂとから番組を出力する。
【００９１】
続いて、ステップＳ６７では、再生が追いついたか否かを判断する。つまり、再生中の番組が現在放送される番組に追いついたか否かを判断する。また、具体的には、ステップＳ３７で録画データに対応付けられた時刻情報とＲＴＣ２０ａが出力する時刻情報とに基づいて、ステップＳ６７の判断がされる。ステップＳ６７で“ＹＥＳ”であれば、つまり再生が追いつけば、ステップＳ６９で録画の終了指示を発行し、タイムシフト再生処理を終了する。
【００９２】
このように、ステップＳ６９で終了指示が発行されると、ＴＶ視聴処理（図１０参照）におけるステップＳ３９で“ＹＥＳ”と判断されるため、番組の一時的な録画が終了する。つまり、図１０におけるステップＳ３７−Ｓ４１の処理による、ＴＶ番組の一時的な録画は、再生中の番組が現在放送される番組に追いつくまで実行され続ける。
【００９３】
一方、ステップＳ６７で“ＮＯ”であれば、つまり再生が追いついていなければ、ステップＳ７１で、再生モードを変更する操作か否かを判断する。たとえば、使用者によって再生モードを「早送り再生」または「高速再生」に変更する操作が行われたか否かを判断する。ステップＳ７１で“ＹＥＳ”であれば、つまり再生モードを変更する操作がされれば、ステップＳ７３で再生モードを変更して、ステップＳ６７に戻る。たとえば、「早送り再生」のモードに変更する操作がされれば、再生モードを「早送り再生」に設定する。また、ステップＳ７１で“ＮＯ”であれば、つまり再生モードを変更する操作がされなければ、ステップＳ６７に戻る。
【００９４】
以上の説明から分かるように、携帯通信端末１０は、ＴＶチューナ３２を有し、ＴＶ視聴機能を実行できる。携帯通信端末１０は、ＴＶ視聴中の着呼に応じて番組を一時的に録画し、通話が終了すると録画した番組を再生するタイムシフト機能も実行できる。そのため、プロセッサ２０は、タイムシフト機能が設定されている場合、ＴＶ視聴中の着呼に応じて、ＴＶチューナ３２の出力を一時録画バッファ２１０に一時的に記憶させる。また、タイムシフト機能は、使用者によって実行されないように不能化されることもある。そして、プロセッサ２０は、タイムシフト機能が不能化されている場合に、ＴＶ視聴中の着呼に応じて、ＴＶチューナの電源をオフにする。
【００９５】
これによって、タイムシフト機能が利用でき、かつタイムシフト機能が不能化されている携帯通信端末１０では、ＴＶ視聴中に着呼があると、電話機能が利用されている間の消費電力が削減される。
【００９６】
なお、ＴＶチューナ３２は小容量のＲＡＭを備えるものであってもよく、ＴＶチューナ３２の電源がオフされる際には、ＴＶチューナ３２が備えるＲＡＭにチャンネルの情報が一時記憶されてもよい。
【００９７】
また、アラーム機能を備える携帯通信端末１０では、アラーム動作によってＴＶ視聴が中断されることある。この場合も、タイムシフト機能が設定されていれば番組を録画し、不能化されていればＴＶチューナ３２の電源をオフにしてもよい。また、電子メールの送受信が可能な携帯通信端末１０において、電子メールの着呼によってＴＶ視聴が中断される場合も、タイムシフト機能が不能化されていれば、ＴＶチューナ３２の電源がオフにされてもよい。
【００９８】
また、ＴＶ放送を受信するＴＶチューナ３２の代わりに、あるいはそれに加えて、アナログラジオ放送を受信するラジオチューナや、デジタルラジオ放送を受信するデジタルラジオチューナを備える携帯通信端末１０であってもよい。また、一時的に録画または録音されるデータは、フラッシュメモリ２８ではなく、ＲＡＭ３０に設けられるバッファに記憶されてもよい。
【００９９】
また、携帯通信端末１０の形状は、ストレート型だけに限らず、スライド型や、１軸または２軸の折り畳み型であってもよい。
【０１００】
また、携帯通信端末１０の通信方式には、CDMA方式に限らず、W-CDMA方式、GSM方式、TDMA方式、FDMA方式およびPHS方式などを採用してもよい。さらに、ディスプレイ２６にはLCDモニタが利用されるが、有機ELパネルなどの他の表示装置が利用されてもよい。
【０１０１】
そして、本願発明は、携帯通信端末１０のみに限らず、PDA(Personal Digital Assistant)およびノート型ＰＣ（ネットブックなども含む）などの電子機器などに適用されてもよい。
【符号の説明】
【０１０２】
１０    …  携帯通信端末
１２    …  アンテナ
１４    …  無線通信回路
１８ａ    …  第１スピーカ
１８ｂ    …  第２スピーカ
２０    …  プロセッサ
２２    …  キー入力装置
２８    …  フラッシュメモリ
３０    …  ＲＡＭ
３２    …  ＴＶチューナ
３４    …  ＴＶアンテナ
３６    …  電源回路
３８    …  リチウムイオン電池
【図１】
2011091713.tif 000003
【図２】
2011091713.tif 000004
【図３】
2011091713.tif 000005
【図４】
2011091713.tif 000006
【図５】
2011091713.tif 000007
【図６】
2011091713.tif 000008
【図７】
2011091713.tif 000009
【図８】
2011091713.tif 000010
【図９】
2011091713.tif 000011
【図１０】
2011091713.tif 000012
【図１１】
2011091713.tif 000013